(57)【要約】【課題】溶着や接着などの特別な後工程を行う必要がなくローコスト対応が可能で、２部品を嵌合するだけの簡単な構成で密閉性の高いスイッチ装置のシールド構造を提供する。【解決手段】ケース１とカバー６との接合部の、何れか一方に環状の突壁部１ｎを形成すると共に、他方に突壁部１ｎと嵌合する環状の凹溝部６ｆを形成し、且つ、環状の突壁部１ｎの先端に弾性変形部１ｐを形成すると共に、環状の凹溝部６ｆの底部近傍に斜面からなる傾斜部６ｇを形成し、ケース１とカバー６を嵌合する際に、弾性変形部１ｐと傾斜部６ｇを圧接させて密着するようにした。【選択図】        図３
2004241327.tif 000002
【特許請求の範囲】
【請求項１】
一面に開口された収納部を有するケースと、前記収納部に配設された固定接点及び可動接点からなる接点部と、この接点部を駆動して接離させる駆動部材と、この駆動部材に連結され前記ケースに回動可能に設けられたレバーと、前記ケースの収納部開口を覆うように取付けられたカバーとを備え、前記ケースと前記カバーとの接合部には、何れか一方に環状の突壁部を形成すると共に、他方に前記突壁部と嵌合する環状の凹溝部を形成し、且つ、前記環状の突壁部の先端に弾性変形部を形成すると共に、前記環状の凹溝部の底部近傍に斜面からなる傾斜部を形成し、前記ケースと前記カバーを嵌合する際に、前記弾性変形部と前記傾斜部を圧接させて密着するようにしたことを特徴とするスイッチ装置。
【請求項２】
前記弾性変形部には、弾性変形可能な薄肉部を形成したことを特徴とする請求項１記載のスイッチ装置。
【請求項３】
弾性変形可能な前記薄肉部を、中央に切り欠き部を有する二股形状に形成したことを特徴とする請求項２記載のスイッチ装置。
【請求項４】
前記環状の凹溝部を挟んで対向する側壁部の少なくとも一方を突壁状に形成し、この突壁状の側壁部の先端に弾性変形部を形成すると共に、この弾性変形部と対向する前記環状の突壁部の基部近傍に外方へ広がる斜面からなる傾斜部を形成したことを特徴とする請求項１乃至３の何れかに記載のスイッチ装置。
【請求項５】
突壁状の前記側壁部の先端を、弾性変形可能なように先細状に形成したことを特徴とする請求項４記載のスイッチ装置。
【発明の詳細な説明】
【０００１】
【発明の属する技術分野】
本発明は、スイッチ装置に係り、特に冷蔵庫などに使用されるスイッチ装置のシールド構造に関する。
【０００２】
【従来の技術】
従来のスイッチ装置のシールド構造としては、例えばケースとカバーを嵌合させる場合には、ケースとカバーを重ね合わせた後に加熱したり、超音波などによって接合面を溶着することによってシールドする構造のものが知られている。
また、ケースとカバーを重ね合わせた後に、お互いの嵌合面の隙間に樹脂製の接着剤を流し込んで接着することによりシールドする構造のものも知られている（例えば、特許文献１、及び特許文献２参照）。
【０００３】
【特許文献１】
特開平０７−００６６６０号公報
【特許文献２】
特開平１３−０７７５０３号公報
【０００４】
【発明が解決しようとする課題】
しかしながら、上述した従来のスイッチ装置のシールド構造においては、接合面を溶着する場合や、嵌合面の隙間に接着剤を流し込んで接着する場合のいずれにおいても、スイッチ装置の組立終了後に溶着や接着などを行う工程のため、シールドのための工程が増加しコストアップしてしまうとうい問題があった、また、シールドするための専用の設備が必要となるため、その維持、管理が難しいという問題があった。
【０００５】
したがって、本発明では上述した問題点を解決し、スイッチ装置のシールド構造において、溶着や接着などの特別な後工程を行う必要がなくローコスト対応が可能で、２部品を嵌合するだけの簡単な構成で密閉性の高いスイッチ装置のシールド構造を提供することを目的とする。
【０００６】
【課題を解決するための手段】
上記課題を解決するために本発明では第１の手段として、一面に開口された収納部を有するケースと、前記収納部に配設された固定接点及び可動接点からなる接点部と、この接点部を駆動して接離させる駆動部材と、この駆動部材に連結され前記ケースに回動可能に設けられたレバーと、前記ケースの収納部開口を覆うように取付けられたカバーとを備え、前記ケースと前記カバーとの接合部には、何れか一方に環状の突壁部を形成すると共に、他方に前記突壁部と嵌合する環状の凹溝部を形成し、且つ、前記環状の突壁部の先端に弾性変形部を形成すると共に、前記環状の凹溝部の底部近傍に斜面からなる傾斜部を形成し、前記ケースと前記カバーを嵌合する際に、前記弾性変形部と前記傾斜部を圧接させて密着するようにしたことを特徴とする。
【０００７】
また、第２の手段として、前記弾性変形部には、弾性変形可能な薄肉部を形成したことを特徴とする。
【０００８】
また、第３の手段として、弾性変形可能な前記薄肉部を、中央に切り欠き部を有する二股形状に形成したことを特徴とする。
【０００９】
また、第４の手段として、前記環状の凹溝部を挟んで対向する側壁部の少なくとも一方を突壁状に形成し、この突壁状の側壁部の先端に弾性変形部を形成すると共に、この弾性変形部と対向する前記環状の突壁部の基部近傍に外方へ広がる斜面からなる傾斜部を形成したことを特徴とする。
【００１０】
また、第５の手段として、突壁状の前記側壁部の先端を、弾性変形可能なように先細状に形成したことを特徴とする。
【００１１】
【発明の実施の形態】
以下、本発明の一実施例を図１乃至図６に示す。図１はスイッチ装置の分解斜視図、図２はスイッチ装置の全体斜視図、図３はスイッチ装置の断面図、図４はケースとカバーの嵌合状態を示す部分断面図、図５は初期状態の接点部を示す正面図、図６は動作状態の接点部を示す正面図である。
【００１２】
図において、ケース１は、合成樹脂などの絶縁材で略方形状に形成されており、平板状のパネル部１ａと、このパネル部１ａに連接した基台部１ｂとから形成されている。前記パネル部１ａの上面には窓孔部１ｃが形成されており、この窓孔部１ｃに後述するレバー６が回動可能に挿着されるものとなっている。また、前記窓孔部１ｃに連続して前記ケース１の一側面部に開口する開口部１ｄが設けられている。また、前記基台部１ｂの側部の一面には箱状に開口され、この開口内に後述する接点部などが配設される収納部１ｅが形成されている。
【００１３】
また、前記ケース１の背面側には、片側が自由端とされ弾性を有する弾性腕部１ｆが形成されており、この弾性腕部１ｆの自由端には電子機器のパネルなどに嵌着される波形状の凹凸部からなるロック部１ｇが形成されている。また、前記ケース１の背面には後述する駆動部材２の回動軸２ｂが軸支される軸孔１ｈが設けられており、また、前記ケース１の前記収納部１ｅの対向する側面部には、後述するカバー６の係合孔６ｅに係合される凸状の係合突起１ｉが形成されている。
【００１４】
前記収納部１ｅには、上部の一端側に後述する駆動部材２の回動軸２ａが軸支される支軸部１ｊが設けられており、また、下部の中央には後述する接点部が挿入されて保持される接点保持部１ｋ、１ｌ、１ｍがそれぞれ設けられている。
【００１５】
また、前記収納部１ｅの周縁には、外方へ突出して形成され前記収納部１ｅの周りを囲むように、環状の突壁部１ｎが設けられており、この環状の突壁部１ｎの先端には中央に切り欠き部１ｏを有する二股状の薄肉部１ｐが形成されている。この薄肉部１ｐは弾性変形可能なように形成されており、弾性変形部として構成されている。
【００１６】
また、前記環状の突壁部１ｎの基部近傍には、基部の方向へ厚肉となるような外方へ広がる斜面からなる傾斜部１ｑが形成されており、この傾斜部１ｑに、後述するカバー６の環状の凹溝部６ｆを挟んで対向する側壁部の一方に先細状に設けられた弾性変形部である細壁部６ｉが当接されるものとなっている。
【００１７】
駆動部材２は、合成樹脂などの絶縁材で形成されており、円柱状からなる大小の回動軸２ａ、２ｂと、この回動軸２ａ、２ｂと同軸上に設けられたレバー係合部２ｃと、後述する接点部を駆動する回動アーム２ｄとから構成されている。この駆動部材２は、前記レバー係合部２ｃに後述するレバー６の嵌合孔６ｅが嵌合され、前記回動軸２ａ、２ｂが、前記ケース１に設けられた前記支軸部１ｊ及び前記軸孔１ｈに回動可能に軸支されるものとなっている。
【００１８】
接点部は、導電性の金属板を打ち抜き、折り曲げ加工されて形成された一対の固定接点３、４と、この固定接点３、４を接離する可動接点５とから構成されている。また、前記固定接点３、４の一端側には、導電性の優れた貴金属からなる接点３ａ、４ａが固着され、他端側には外方に導出される接続端子３ｂ、４ｂが設けられている。
【００１９】
前記可動接点５は、弾性を有する薄板状の金属板で形成され、一端側に接点５ａが固着された可動性のアーム板５ｂと、このアーム板５ｂに連接され、２枚折り重ねた状態で所定の形状に切断して形成された接続端子５ｃとから構成されている。
【００２０】
前記可動接点５は、可動性の前記アーム部５ｂを有するため前記固定接点３、４の金属板よりも薄板状の金属板で形成されているが、前記接続端子５ｃは２枚折り重ねた状態で形成されており、端子部の強度アップが可能となっている。また、２枚折り重ねた状態で所定の形状に切断することから、最後の切断工程で外形寸法などの精度が出し易いため、相手部品との嵌合精度も向上され、後述するカバー６の端子保持部６ｄとのシールド性もより確実に行えるものとなっている。
【００２１】
前記固定接点３、４と、前記可動接点５は、前記ケース１に設けられた前記接点保持部１ｋ、１ｌ、１ｍに、前記接続端子３ｂ、４ｂ、５ｃが挿着されてそれぞれ保持されるものとなっている。
【００２２】
カバー６は、合成樹脂などの絶縁材で一側面が開口された箱状に形成されている。このカバー６の開口側と反対側の正面上端部には、波形状の凹凸部からなる係止部６ａが形成されており、この係止部６ａと前記ケース１に設けられた弾性腕部１ｆの前記ロック部１ｇとが協働して電子機器のパネルなどに嵌着されるものとなっている。
【００２３】
また、前記カバー６の正面中央には、前記接点部の接続端子３ｂ、４ｂ、５ｃが突出して導出される端子保持部６ｂ、６ｃ、６ｄがそれぞれ設けられている。また、前記カバー６の開口部を挟んで両側の側板部には、前記ケース１の前記収納部１ｅの対向する側面部に設けられた前記係合突起１ｉに係合して前記カバー６を前記ケース１に嵌着するために係合孔６ｅが形成されている。
【００２４】
また、前記カバー６の開口部の周縁には、開口部の周りを囲むように、環状の凹溝部６ｆが設けられており、この環状の凹溝部６ｆの低部近傍には低部方向に向かって先細りとなる斜面からなる一対の傾斜部６ｇ、６ｇが形成されている。
【００２５】
また、前記カバー６の環状の凹溝部６ｆを挟んで対向する側壁部のうち、内側の側壁部６ｈは突壁状に形成されており、この側壁部６ｈの先端側は弾性変形可能なように先細状に形成されて細壁部６ｉを構成している。この先細状に形成された前記細壁部６ｉが弾性変形部として構成されている。
【００２６】
本発明のスイッチ装置を組み立てる際には、前記カバー６が、前記ケース１の前記収納部１ｅの開口を覆うように嵌着されるものとなり、前記ケース１の前記収納部１ｅの周りを囲むように設けられた前記環状の突壁部１ｎが、前記カバー６に設けられた前記環状の凹溝部６ｆに嵌合されるものとなる。
【００２７】
この時、前記環状の突壁部１ｎの先端に設けられた弾性変形部である二股状の前記薄肉部１ｐ、１ｐが、前記環状の凹溝部６ｆの底部近傍に設けられた先細状の前記傾斜部６ｇ、６ｇに当接されることになり、前記薄肉部１ｐ、１ｐが前記傾斜部６ｇ、６ｇに沿って内側方向に弾性変形されることになる。そして、前記薄肉部１ｐ、１ｐが前記傾斜部６ｇ、６ｇに弾発力を持って圧接されることにより、前記ケース１と前記カバー６とが密着された状態で嵌合されるものとなる。したがって、２部品を嵌合するだけの簡単な構成で高い密閉性が得られるものとなっている。
【００２８】
また、弾性変形部には、弾性変形可能な前記薄肉部１ｐを形成しているので、変形が容易となり、簡単な構造で確実な弾発力が得られるものとなっており、また、前記薄肉部１ｐを、中央に切り欠き部を有する二股形状に形成したので、２箇所での圧接が可能となり、簡単な構造で確実な密封性が得られるものとなっている。
【００２９】
更には、前記環状の突壁部１ｎの基部近傍には、基部の方向へ厚肉となるような外方へ広がる斜面からなる前記傾斜部１ｑが形成されており、前記傾斜部１ｑに、前記カバー６の環状の凹溝部６ｆを挟んで対向する側壁部のうち、内側の前記側壁部６ｈに先細状に設けられた弾性変形部である細壁部６ｉが当接されることになる。そして、同じように、前記細壁部６ｉが前記傾斜部１ｑに弾発力を持って圧接されることにより、前記ケース１と前記カバー６とが、更に密着された状態で嵌合されるものとなる。
【００３０】
このように、複数箇所で２重に圧接させて密着するようにしているので、更に高い密封性が得られるものとなっており、また、突壁状の前記側壁部６ｈの先端を、弾性変形可能なように先細状に形成したので、簡単な構造で確実な弾発力が得られるものとなっている。
【００３１】
レバー７は、合成樹脂などの絶縁材で略山形状に形成されており、電子機器に内臓されたアクチュエータなどで回動操作される操作部７ａと、接点部を駆動する前記駆動部材２のレバー係合部２ｃと嵌合される嵌合孔７ｂが設けられている。また、底面側には、前記レバー７と係合して前記レバー７を初期位置へ付勢する復帰ばね８を係止する、ばね受け部７ｃが形成されたものとなっている。
【００３２】
本発明のスイッチ装置を組み立てる場合には、前記ケース１のパネル部１ａの窓孔部１ｃに前記復帰ばね８と前記レバー７を挿着して保持し、前記基台１ｂの収納部１ｅの前記支軸部１ｊに前記駆動部材２の回動軸２ａを軸支して、前記レバー７の嵌合孔７ｂに前記駆動部材２のレバー係合部２ｃを嵌合させて固定する。
【００３３】
次に、前記収納部１ｅの接点保持部１ｋ、１ｌ、１ｍに、前記固定接点３、４及び可動接点５の接続端子３ｂ、４ｂ、及び５ｃを挿着し、それぞれ保持する。そして、前記収納部１ｅの開口を覆うように前記カバー６を嵌着し、前記接続端子３ｂ、４ｂ、５ｃを前記端子保持部６ｂ、６ｃ、６ｄから突出させて保持する。
【００３４】
この時、前記ケース１の前記収納部１ｅの周りを囲むように設けられた前記環状の突壁部１ｎと、前記カバー６に設けられた前記環状の凹溝部６ｆとを嵌合した状態で、前記ケース１の側面部に設けられた前期係合突起１ｉと前記カバー６の側板部に設けられた前記係合孔６ｅとを係合させることで前記ケース１に前記カバー６が固着されるものとなり組立が終了する。
【００３５】
次に、本発明のスイッチ装置の動作を図５、図６で説明する。
図５に示すのは初期状態で、この時、前記レバー７は復帰バネ８で上方へ付勢されており、前記駆動部材２の回動アーム２ｄが、前記可動接点５のアーム板５ｂを上方へ持ち上げて、前記固定接点３の接点３ａと前記可動接点５の接点５ａがオン状態となっている。
【００３６】
次に、図６に示すように、前記前記レバー７の操作部７ａが下方へ押し下げられると、前記駆動部材２の回動アーム２ｄが下方へ回動し、前記可動接点５のアーム板５ｂが自身の弾発力により下方へ移動する。そして、前記可動接点５の接点５ａが前記固定接点３の接点３ａから離れ、下方に位置する前記固定接点４の接点４ａとオン状態となることで接点部の切換えが行われるものとなっている。
【００３７】
上記した実施例によれば、スイッチ装置のケースとカバーを接合させる場合にに、前記ケース１に環状の突壁部１ｎを形成すると共に、前記カバー６にこの突壁部１ｎと嵌合する環状の凹溝部６ｆを形成し、さらには、前記環状の突壁部１ｎの先端に弾性変形部である二股状の前記薄肉部１ｐを形成すると共に、前記環状の凹溝部６ｆの底部近傍に先細状の斜面からなる前記傾斜部６ｇを形成し、前記ケース１と前記カバー６を嵌合する際には、前記薄肉部１ｐと前記傾斜部６ｇとを圧接させた状態で密着するようにしてあるので、前記環状の突壁部１ｎの先端に形成した前記薄肉部１ｐが、前記環状の凹溝部６ｆの低部近傍に形成した前記傾斜部６ｇによって弾性変形させられることにより弾発力を持って押し付けられるため、スイッチ装置のシールドに溶着や接着などの特別な後工程を行う必要がなく、ローコスト対応が可能で、２部品を嵌合するだけの簡単な構成で高い密閉性が得られるものとなっている。
【００３８】
【発明の効果】
以上説明したように、本発明のスイッチ装置は、一面に開口された収納部を有するケースと、収納部に配設された固定接点及び可動接点からなる接点部と、この接点部を駆動して接離させる駆動部材と、この駆動部材に連結されケースに回動可能に設けられたレバーと、ケースの収納部開口を覆うように取付けられたカバーとを備え、ケースとカバーとの接合部には、何れか一方に環状の突壁部を形成すると共に、他方に突壁部と嵌合する環状の凹溝部を形成し、且つ、環状の突壁部の先端に弾性変形部を形成すると共に、環状の凹溝部の底部近傍に斜面からなる傾斜部を形成し、ケースとカバーを嵌合する際に、弾性変形部と傾斜部を圧接させて密着するようにしたことから、環状の突壁部の先端に形成した弾性変形部が、環状の凹溝部の低部近傍に形成した傾斜部によって弾性変形させられることにより弾発力を持って押し付けられるため、スイッチ装置のシールドに溶着や接着などの特別な後工程を行う必要がなく、ローコスト対応が可能で、２部品を嵌合するだけの簡単な構成で高い密閉性が得られる。
【００３９】
また、弾性変形部には、弾性変形可能な薄肉部を形成したことから、変形が容易となり、簡単な構造で確実な弾発力が得られる。
【００４０】
また、弾性変形可能な薄肉部を、中央に切り欠き部を有する二股形状に形成したことから、２箇所での圧接が可能となり、簡単な構造で確実な密封性が得られる。
【００４１】
また、環状の凹溝部を挟んで対向する側壁部の少なくとも一方を突壁状に形成し、この突壁状の側壁部の先端に弾性変形部を形成すると共に、この弾性変形部と対向する環状の突壁部の基部近傍に外方へ広がる斜面からなる傾斜部を形成したことから、複数箇所で２重に圧接させて密着するようにしているので、更に高い密封性が得られる。
【００４２】
また、突壁状の側壁部の先端を、弾性変形可能なように先細状に形成したことから、簡単な構造で確実な弾発力が得られる。
【図面の簡単な説明】
【図１】本発明の一実施例であるスイッチ装置を示す分解斜視図である。
【図２】本発明の同じくスイッチ装置を示す全体斜視図である。
【図３】本発明の同じくスイッチ装置を示す断面図である。
【図４】本発明のケースとカバーの嵌合状態を示す部分断面図である。
【図５】本発明のスイッチ装置の初期状態の接点部を示す正面図である。
【図６】本発明のスイッチ装置の動作状態の接点部を示す正面図である。
【符号の説明】
１  ケース
１ａ  パネル部
１ｂ  基台部
１ｃ  窓孔部
１ｄ  開口部
１ｅ  収納部
１ｆ  弾性腕部
１ｇ  ロック部
１ｈ  軸孔
１ｉ  係合突起
１ｊ  支軸部
１ｋ，１ｌ，１ｍ  接点保持部
１ｎ  突壁部
１ｏ  切り欠き部
１ｐ  薄肉部（弾性変形部）
１ｑ  傾斜部
２  駆動部材
２ａ，２ｂ  回動軸
２ｃ  レバー係合部
２ｄ  回動アーム
３，４  固定接点
３ａ，４ａ  接点
３ｂ，４ｂ  接続端子
５  可動接点
５ａ  接点
５ｂ  アーム板
５ｃ  接続端子
６  カバー
６ａ  係止部
６ｂ，６ｃ，６ｄ  端子保持部
６ｅ  係合孔
６ｆ  凹溝部
６ｇ  傾斜部
６ｈ  側壁部
６ｉ  細壁部（弾性変形部）
７  レバー
７ａ  操作部
７ｂ  嵌合孔
７ｃ  ばね受け部
８  復帰ばね
【図１】
2004241327.tif 000003
【図２】
2004241327.tif 000004
【図３】
2004241327.tif 000005
【図４】
2004241327.tif 000006
【図５】
2004241327.tif 000007
【図６】
2004241327.tif 000008